(57)【要約】【課題】  容器内に収容された液体調味料を、簡単な操作で、且つ確実に、適宜の量を食材に注ぐことができる液体注出用容器を提供すること。【解決手段】  容器本体に着脱自在に装着される蓋体に、摺動部（１０）と、摺動部（１０）を操作することにより、液体の注出量を調節する注出体（２０）を備えたことを特徴とする。  また摺動部（１０）は、蓋体（３）に固定されている筒状の保持部（１１）と、保持部（１１）内を摺動する内筒体（１２）と、内筒体（１２）の外周に設置されている外筒体（１３）とからなり、注出体（２０）は、蓋体に固定されている筒状の注出部（２１）と、注出部（２１）の内周に設置されている、開孔部（２３）を具備した注出筒（２２）とからなる。【選択図】図１
2011255956.tif 000002
【特許請求の範囲】
【請求項１】
醤油等の液体を容器内に収容し、収容した液体を外部に注出する液体注出用容器であって、該液体注出用容器は、液体を収容する容器本体と、容器本体に着脱自在に装着される蓋体とからなり、かかる蓋体に、摺動部と、摺動部を操作することにより、液体の注出量を調節する注出体を備えたことを特徴とする液体注出用容器。
【請求項２】
前記摺動部は、蓋体に固定されている筒状の保持部と、保持部内を摺動する内筒体と、内筒体の外周に設置されている外筒体とからなる請求項１記載の液体注出用容器。
【請求項３】
前記注出体は、蓋体に固定されている筒状の注出部と、注出部の内周に設置されている、開孔部を具備した注出筒とからなる請求項１記載の液体注出用容器。
【請求項４】
前記開孔部は、注出筒に少なくとも１箇所以上穿孔されている請求項３記載の液体注出用容器。
【請求項５】
前記摺動部と注出体との間にバネ部材を介在させた請求項１乃至４のうちいずれか一項に記載の液体注出用容器。
【請求項６】
前記蓋体に、注出筒を蓋体に対して摺動自在に装着する第二注出部を設けるとともに、蓋体の上部に、前記第二注出部を摺動させる操作部を設置した請求項１記載の液体注出用容器。
【発明の詳細な説明】
【技術分野】
【０００１】  本発明は、容器内に収容された液体の注出量を容易に調節することができる液体注出用容器に関する。
【背景技術】
【０００２】  通常、醤油やソース等の液体調味料は、蓋体を着脱自在に装着した容器内に収容されている。前記容器内の液体調味料は、蓋体に具備された注ぎ口から適宜の量を食材に注がれる。【０００３】  一般的に、醤油等の液体調味料には多くの塩分が含まれており、調味料をかけ過ぎた場合、塩分の摂取過多になり糖尿病等の成人病を発症させるという問題がある。そのため以前より、容器の傾斜具合を微妙に調節して調味料のかけ過ぎを防いでいた。
【先行技術文献】
【特許文献】
【０００４】  また、醤油等の液体調味料を収容する容器の従来技術として、複雑な機構を用いることなく、不注意で倒してもすぐに転がって注ぎ口及び吸気口が高い位置になる横臥姿勢で静止することで、貯蔵流体がほとんどこぼれない醤油注し等の流体容器がある（例えば特許文献１参照）。
上掲特許文献１の流体容器は、横臥して筒状の側壁を接地して転がる時、その横臥姿勢に応じて注ぎ口及び吸気口の最低高さが変化する流体容器に於いて、側壁の任意の側から横臥しても常に同じ側の側壁が底になる横臥姿勢で転がりを停止して静止するように側壁の一側に錘部を設けたことを特徴としている。
【特許文献１】特開平１１−２１６０５６号公報
【発明の概要】
【発明が解決しようとする課題】
【０００５】  しかしながら、一般的な液体容器や上掲特許文献１の流体容器においては、収容された容器内の調味料の注出量を調整することができず、必要以上の調味料が食材に注がれてしまうという問題があった。また、容器の傾斜具合を調節して調味料のかけ過ぎを防ぐ方法においては、微妙な調節加減が難しく、食材に思い通りの量の液体調味料をかけることはできなかった。【０００６】  そこで本発明は上記の点に鑑み、容器内に収容された液体調味料を、簡単な操作で、且つ確実に、適宜の量を食材に注ぐことができる液体注出用容器を提供することにある。
【解決を解決するための手段】
【０００７】  上記課題を解決するために本発明の液体注出用容器は、醤油等の液体を容器内に収容し、収容した液体を外部に注出する液体注出用容器であって、該液体注出用容器は、液体を収容する容器本体と、容器本体に着脱自在に装着される蓋体とからなり、かかる蓋体に、摺動部と、摺動部を操作することにより、液体の注出量を調節する注出体を備えたことを特徴とする。
【０００８】  また前記摺動部は、蓋体に固定されている筒状の保持部と、保持部内を摺動する内筒体と、内筒体の外周に設置されている外筒体とからなる。
【０００９】  また前記注出体は、蓋体に固定されている筒状の注出部と、注出部の内周に設置されている、開孔部を具備した注出筒とからなる。
【００１０】  また前記開孔部は、注出筒に少なくとも１箇所以上穿孔されている。
【００１１】  また、前記摺動部と注出体との間にバネ部材を介在させた。
【００１２】  さらに前記蓋体に、注出筒を蓋体に対して摺動自在に装着する第二注出部を設けるとともに、蓋体の上部に、前記第二注出部を摺動させる操作部を設置してもよい。
【発明の効果】
【００１３】  蓋体に、摺動部と、摺動部を操作することにより液体の注出量を調節する注出体を備えたことにより、摺動部のワンタッチの操作で容易に、且つ確実に適宜量の液体調味料を食材に注ぐことができる。
【図面の簡単な説明】
【００１４】
【図１】本発明の液体注出用容器の全体図である。
【図２】Ａ−Ａ線断面図における液体注出用容器の拡大断面図である。
【図３】図１における液体注出用容器の使用状態を示す。
【図４】他の好適例である液体注出用容器の全体図である。
【図５】Ｂ−Ｂ線断面図における液体注出用容器の拡大断面図である。
【図６】図４における液体注出用容器の使用状態を示す。
【発明を実施するための形態】
【００１５】  以下、本発明の液体注出用容器における実施の形態を図面に基づいて説明する。
本発明の液体注出用容器は、容器内に収容された液体調味料を、簡単な操作で、且つ確実に、適宜の量を食材に注ぐことができることを特徴とする。
【００１６】  本発明の液体注出用容器は、醤油等の液体を容器内に収容し、収容した液体を外部に注出する液体注出用容器であって、  図１乃至図３に示す液体注出用容器１は、液体Ａを収容する容器本体２と、容器本体２に着脱自在に装着される蓋体３とからなり、かかる蓋体３に、摺動部１０と、摺動部１０を操作することにより、液体Ａの注出量を調節する注出体２０を備えたことを特徴とする。
【００１７】  摺動部１０は、蓋体３に固定されている筒状の保持部１１と、保持部１１内を摺動する内筒体１２と、内筒体１２の外周に設置されている外筒体１３とからなる。また前記内筒体１２内には軸部１４が具備されており、前記軸部１４の先には係止板１５が装着され、係止板１５の先方にはスプリング等のバネ部材１６が具備されている。
【００１８】  注出体２０は、蓋体３に具備された注出部２１と、注出部２１に設置された注出筒２２とからなる。また注出筒２２の外周には、前記外筒体１３が摺動自在に配置されている。
【００１９】  また、前記注出筒２２には開孔部２３が穿孔されている。開孔部２３は前記注出筒２２に少なくとも１箇所以上穿孔されている。また図示する開孔部２３は、内側（摺動部１０側）に大径の開孔部２３ａが、外側（注出部２１側）に小径の開孔部２３ｂが設けられている。なお、前記開孔部２３は一つでも二つ以上でもよく、さらに、横に長い楕円形状であってもよい。
【００２０】  前記開孔部２３ａ，２３ｂを設けることにより、図３の（ａ）に示すように、開孔部２３ａ，２３ｂが開孔されている状態では、容器２内の空気が多量に外部に排出され、それに伴い、容器２内の液体Ａを多量の注出させることができる。また図３の（ｂ）に示すように、摺動部１０を押し込むことで、外筒１３で開孔部２３ａ，２３ｂを遮蔽する。そのことにより、容器２内から排出される空気の量が制限され、容器２内から注出される液体Ａの量も軽減される。
【００２１】  また、前記摺動部１０と注出体２０との間にはバネ部材１６が介在されている。バネ部材１６は、注出筒２２の基端部と内筒体１２の係止板１５との間に配置されており、内筒体１２の先端の操作部１７を押し込み、外筒体１３にて注出筒２２の開孔部２３を遮蔽した後、操作部１７の押し込みを解除することで、外筒体１３はバネ部材１６の付勢力により再び基の位置に戻り、開孔部２３の遮蔽状態を解除させることができる。
【００２２】  また他の好適例として、図４乃至図６に示すように、前記蓋体３に、注出筒３２を蓋体２に対して摺動自在に装着する第二注出部３０を設けるとともに、蓋体２の上部に、前記注出筒３２を摺動させる操作部４０を設置してもよい。
【００２３】  第二注出部３０は、蓋体３に固定されている筒状部３１と、筒状部３１内を摺動する注出筒３２とで構成されている。注出筒３２の先方には保持具３３が具備されており、基端には開孔部３４を有する蓋部材３５が装着されている。また蓋部材３５の近傍には開孔部３６が穿孔されている。
【００２４】  操作部４０は、外筒体４１と、外筒体４１の内部に摺動自在に具備された内筒体４２と、内筒体４２の先方に収納されバネ部材４３とからなる。また、内筒体４２の内部には、先端が下方に屈曲されている軸部材４４が具備されている。また前記軸部材４４の先端は、前記注出筒３２の保持具３３に連結されている。なお操作部４０は、連結部材４５により前記筒状部３１に一連に連結されている。
【００２５】  前記内筒体４２を押し込むことにより、図５の（ａ），（ｂ）に示すように、軸部材４４が先方に押し出され、それに伴い、注出筒３２が先方に摺動される。そのことにより、開孔部３６が筒状部３１内に収容される。また内筒体４２を押し込む力を解除することで、バネ部材４３により元の位置に配置される。
【００２６】  次に、本発明における液体注出用容器の使用例の詳細を図３の（ａ）（ｂ）及び図６の（ａ）（ｂ）に基づいて説明する。
【００２７】  図３の（ａ）においては、摺動部１０を操作せず、通常の状態で容器本体２内の液体Ａを食材に注ぐ状態を示す。この際、注出筒２２の開孔部２３は開いた状態であるため、開孔部２３から容器本体２内の多量の空気が排気され、それに伴い、多量の液体Ａが注出部２１より外部に注がれる。
【００２８】  図３の（ｂ）には、摺動部１０の操作部１７を先方に押し込んだ状態を示す。この際、外筒体１３が開孔部２３の一部もしくは殆どの部分を遮蔽するため、容器本体２内の空気の排気量が制限され、外部に注がれる液体Ａの量も制限される。なお、操作部１７の押し込む強さを調整することで、外部に注がれる液体Ａの量も微調節することができる。
【００２９】  図６の（ａ）においては、操作部４０を操作せず、通常の状態で容器本体２内の液体Ａを食材に注ぐ状態を示す。この際、第二注出部３０の注出筒３２の開孔部３６は開いた状態であるため、開孔部３６と開孔部３４から容器本体２内の多量の空気が排気され、それに伴い、多量の液体Ａが注出筒３２の先方より外部に注がれる。
【００３０】  図６の（ｂ）には、操作部４０の内筒体４２を先方に押し込んだ状態を示す。この際、軸部材４４により注出筒３２が筒状部３１内を摺動し、開孔部３６の一部もしくは殆どの部分を遮蔽する。そのため、容器本体２内の空気は、蓋部材３５の開孔部３４のみから排気され、外部に注がれる液体Ａの量も軽減される。なお、内筒体４２の押し込む強さを調整することで、外部に注がれる液体Ａの量も微調節することができる。
【００３１】  上述の如く、蓋体３に、摺動部１０または操作部４０と、摺動部１０または操作部４０を操作する、液体Ａの注出量を調節する注出体３０または第二注出部３０を備えたことにより、ワンタッチの操作で容易に、且つ確実に適宜量の液体調味料を食材に注ぐことができる。
【符号の説明】
【００３２】１    液体注出用容器
２    容器本体
３    蓋体
１０  摺動部
１１  保持部
１２  内筒体
１３  外筒体
１４  軸部
１５  係止板
１６  バネ部材
１７  操作部
２０  注出体
２１  注出部
２２  注出筒
２３  開孔部
３０  第二注出部
３１  筒状部
３２  注出筒
３３  保持具
３４  開孔部
３５  蓋部材
３６  開孔部
４０  操作部
４１  外筒体
４２  内筒体
４３  バネ部材
４４  軸部材
４５  転結部
Ａ    液体
【図１】
2011255956.tif 000003
【図２】
2011255956.tif 000004
【図３】
2011255956.tif 000005
【図４】
2011255956.tif 000006
【図５】
2011255956.tif 000007
【図６】
2011255956.tif 000008